(57)【要約】【課題】本発明は、内装工事の足場等に使用される軽量踏み台ユニットに関し、軽量で収納に困らず作業台として安全性を高めることが課題である。【解決手段】上下方向に積み重ねられる複数個の合成樹脂製の踏み台からなる踏み台ユニットであって、最上段の踏み台には、足場板用で該足場板の厚さ分にして端部を開口させて欠き込んだ十字状の欠き込み部があり、上下段の踏み台にはズレ防止用の凹凸部があり、更に、上下段の外周側面に取っ手兼用の開口部があり、足場板止めワンタッチベルトで上下方向に巻装して踏み台ユニット間に架設された足場板を固定する軽量踏み台ユニット１とする。【選択図】    図１
2004332293.tif 000002
【特許請求の範囲】
【請求項１】
上下方向に積み重ねられる複数個の合成樹脂製の踏み台からなる踏み台ユニットであって、
最上段の踏み台には、足場板用で該足場板の厚さ分にして端部を開口させて欠き込んだ十字状の欠き込み部があり、
上下段の踏み台にはズレ防止用の凹凸部があり、更に、上下段の外周側面に取っ手兼用の開口部があり、
足場板止めワンタッチベルトで上下方向に巻装して踏み台ユニット間に架設された足場板を固定すること、
を特徴とする軽量踏み台ユニット。
【請求項２】
踏み台は、上方に行くに従って小さく狭くなり、上段の踏み台が下段の踏み台の内部に内包されること、
を特徴とする請求項１に記載の軽量踏み台ユニット。
【請求項３】
最上段の踏み台の欠き込み部に対応した十字状のブロックがあり、前記ブロックが前記欠き込み部に嵌合されて踏み台として使用されること、
を特徴とする請求項１に記載の軽量踏み台ユニット。
【発明の詳細な説明】
【０００１】
【発明の属する技術分野】
本発明は、内装工事の足場等に使用される軽量踏み台ユニットに関する。
【０００２】
【従来の技術】
従来において、内装工事を行う場合や、少し手の届かない高位置の工事をする場合には、鋼製若しくはアルミニウム製の脚立が多く用いられている。
【０００３】
前記脚立は、単独で用いられたり、脚立間に足場板を架けて利用したりするものが知られている（例えば、特許文献１参照。）。
【０００４】
【特許文献１】
特開平９−８８４６４号公報（第２頁、第１図）
【０００５】
【発明が解決しようとする課題】
しかしながら、前記脚立は折り畳み式であって幅が非常に狭く、安定性に欠ける。また、工事現場では鉄製の脚立が使用されるが、重いので携帯性に欠けるばかりでなく、狭い部屋毎に運搬して使用するので、持ち運びの際に仕上げ面に傷を付けてしまうおそれがある。更に、脚立足場として使う場合に、脚立の最上段が作業床から突出するために、そこで作業者が躓きやすく危険である。そして、作業床の高さを変えられないので、天井高さによって複数種類の脚立を用意する必要がある。そのような脚立の集積場所にも多くのスペースが必要となって不便となる。本発明に係る軽量踏み台ユニットはこのような課題を解決するために提案されたものである。
【０００６】
【課題を解決するための手段】
上記課題を解決するために、本発明に係る軽量踏み台ユニットの要旨は、上下方向に積み重ねられる複数個の合成樹脂製の踏み台からなる踏み台ユニットであって、最上段の踏み台には、足場板用で該足場板の厚さ分にして端部を開口させて欠き込んだ十字状の欠き込み部があり、上下段の踏み台にはズレ防止用の凹凸部があり、更に、上下段の外周側面に取っ手兼用の開口部があり、足場板止めワンタッチベルトで上下方向に巻装して踏み台ユニット間に架設された足場板を固定することでである。
【０００７】
前記踏み台は、上方に行くに従って小さく狭くなり、上段の踏み台が下段の踏み台の内部に内包されること、；
前記最上段の踏み台の欠き込み部に対応した十字状のブロックがあり、前記ブロックが前記欠き込み部に嵌合されて踏み台として使用されること、；
を含むものである。
【０００８】
本発明に係る軽量踏み台ユニットによれば、軽量で持ち運びが容易であり、脚立足場で使用すると、足場板が安定し段差も解消されて安全である。また、収納も下段の踏み台に内包させることで全体がコンパクトになり、収納スペースも狭くて済む。足場板をベルトで緊結するので、安全である。踏み台として下部面積が広くてガタ付かず安定感があり、作業台としては、十字状のブロックを最上段の踏み台の欠き込み部に嵌合させることで、当該踏み台の上部面が平らになって作業がしやすくなる。
【０００９】
【発明の実施の形態】
次に、本発明に係る軽量踏み台ユニット１について、図面を参照して説明する。図１（Ａ），（Ｂ）及び図４に示すように、踏み台ユニット１は、上下方向に積み重ねられる複数個の合成樹脂製の踏み台１ａ，１ｂ，１ｃ，…からなる踏み台ユニットである。この踏み台の数は、例えば、予め５段から１０段程度で用意されるものである。一つの踏み台の重量は、例えば、中段の踏み台では約０．７ｋｇ程度である。
【００１０】
また、最上段の踏み台１ａが最も、大きさが小さくなっていて、例えば、縦横の寸法が４５０ｍｍ程度である。下の段の踏み台になるに従って角錐状に広がって大きくなり、例えば、踏み台１ｃの縦横の寸法が７５０ｍｍ程度であり、踏み台ユニット１の全体高さが約６００ｍｍ〜９００ｍｍ程度の大きさとなる。
【００１１】
前記最上段の踏み台１ａには、足場板（図参照）用で該足場板の厚さ分にして端部を開口させて欠き込んだ十字状の欠き込み部２がある。この欠き込みは、Ｘ方向とこれに直交するＹ方向とにあり、例えば、Ｘ方向の幅が足場板の２枚分にしてあり、Ｙ方向の幅が足場板の１枚分にしてある。
【００１２】
前記欠き込み部２の深さは、足場板の厚さと同じ寸法であり、この欠き込み部２に足場板を敷設すると、上面が面一になる。なお、欠き込み部２の中央部に、出没自在な持ち運び用の把持部２ａが設けられる。
【００１３】
前記最上段の踏み台１ａの欠き込み部２に対応した十字状のブロック１ｄが設けられる。前記ブロック１ｄが前記欠き込み部２に嵌合されて、上面が作業台となり、この踏み台ユニット１が、踏み台として使用されるものである。
【００１４】
この踏み台ユニット１においては、上下段の踏み台、例えば、踏み台１ａ，１ｂとにおいて、若しくは、踏み台１ｂ，１ｃとにおいて、水平方向のズレ防止用の凹凸部３がある。更に、上下段の外周側面に取っ手兼用の開口部４がある。
【００１５】
また、図２に示すように、足場板５止め用のワンタッチベルト６で上下方向に巻装して、踏み台ユニット間に架設された足場板５を固定する。
【００１６】
前記踏み台１ａ，１ｂ，…は、上方に行くに従って小さく狭くなり、例えば、上段の踏み台１ａが下段の踏み台１ｂの内部に内包されるように形成されている。よって、不使用の際に、若しくは、運搬時には、図３に示すように、最も下段の踏み台に各踏み台が内包されて、コンパクトに納まるものである。この複数個の踏み台が一つに納まった状態で、それを前記ワンタッチベルト６で締め付けて、一つに纏めるものである。
【００１７】
このような踏み台ユニット１を形成することで、その使用に当たっては、例えば、図１（Ａ）に示すように、踏み台として、作業者の手の届かない箇所に対する内装工事に使用する時は、一例として３段重ねの踏み台にして、ブロック１ｄを最上段の踏み台１ａの欠き込み部２に嵌合させる。これにより、最上段の踏み台１ａの上面が平坦面となり、安全性の高い作業台となる。
【００１８】
作業者は、前記最上段の踏み台１ａのブロック１ｄに乗って、内装作業等をするものであり、踏み台ユニット１の下部が、下方に向かって四角形状に広がっているので安定感があり、ガタ付くことがない。
【００１９】
また、図２に示すように、脚立足場として使用するときには、ブロック１ｄを撤去した最上段の踏み台１ａ，１ａの欠き込み部２，２間に、足場板５をＸ方向なら２枚、Ｙ方向なら１枚を掛け渡して横架する。踏み台１ａの上面が足場板５の上面と、面一になり、作業上の障害となる段差がない。更に、水平方向の横滑りを防止する凹凸部３があるので、しっかりとした安定感が得られる。
【００２０】
前記足場板５の端部は、ワンタッチベルト６でそれぞれ緊結する。こうして、作業者７が略水平な足場板５の上に乗って作業するものである。作業者７が左右に移動しても、踏み台１ａ上では平らで段差がないので、躓くこともなく安全性が確保される。
【００２１】
踏み台ユニット１を解体して撤去するには、図３（Ａ），（Ｂ）に示すように、上段の踏み台持ち上げ、これを下段の踏み台に内包させ重畳させる。そして、ワンタッチベルト６で縛って、コンパクトに搬送する。これには、例えば、上段の踏み台１ａの角部を下段の踏み台１ｃの開口部４に差し込むように差し入れることで、当該下段の踏み台１ｃを持ち上げるようにして摺接させながら、踏み台１ａを内包させるものである。踏み台を単独で持ち上げるには、把持部２ａを引き出して、その把持部２ａを持って持ち上げるものである。
【００２２】
【発明の効果】
上記説明したように、本発明に係る軽量踏み台ユニットは、上下方向に積み重ねられる複数個の合成樹脂製の踏み台からなる踏み台ユニットであって、最上段の踏み台には、足場板用で該足場板の厚さ分にして端部を開口させて欠き込んだ十字状の欠き込み部があり、上下段の踏み台にはズレ防止用の凹凸部があり、更に、上下段の外周側面に取っ手兼用の開口部があり、足場板止めワンタッチベルトで上下方向に巻装して踏み台ユニット間に架設された足場板を固定するものなので、軽量でコンパクトな踏み台となり、内装作業においても仕上げ材を傷つけることもなく、足場脚立にして使用しても段差がないので安全性が高いものとなると言う優れた効果を奏するものである。
【００２３】
前記踏み台は、上方に行くに従って小さく狭くなり、上段の踏み台が下段の踏み台の内部に内包されるので、収納、運搬時には重ねて重畳させることでコンパクトになり、小スペースで収納できるようになって便宜である。
【００２４】
前記最上段の踏み台の欠き込み部に対応した十字状のブロックがあり、前記ブロックが前記欠き込み部に嵌合されて踏み台として使用されるので、平らな作業台となって、安定した踏み台となる。
【図面の簡単な説明】
【図１】本発明に係る軽量踏み台ユニット１の斜視図（Ａ）と、十字状のブロック１ｄを外した状態の斜視図（Ｂ）である。
【図２】同本発明に係る軽量踏み台ユニット１の使用状態の説明図である。
【図３】同本発明に係る軽量踏み台ユニット１を、下段の踏み台に内包させてコンパクトに収納する場合の説明図（Ａ）と、収納状態の透視図（Ｂ）である。
【図４】同本発明に係る軽量踏み台ユニット１の分解斜視図である。
【符号の説明】
１          軽量踏み台ユニット、  １ａ，１ｂ，１ｃ  踏み台、
１ｄ        ブロック、
２          欠き込み部、          ２ａ              把持部、
３          凹凸部、              ４                開口部、
５          足場板、              ６                ワンタッチベルト、
７          作業者。
【図１】
2004332293.tif 000003
【図２】
2004332293.tif 000004
【図３】
2004332293.tif 000005
【図４】
2004332293.tif 000006